【事件の表示】
　特願２００２−２７７０２０「記録再生装置」拒絶査定不服審判事件〔平成１５年　５月３０日出願公開、特開２００３−１５７６２２〕について、次のとおり審決する。
【結　論】
　本件審判の請求は、成り立たない。
【理　由】
１．手続の経緯
　
　本願は、平成５年１０月２８日に出願した特願平５−２７０６１０号の一部を平成１４年９月２４日に新たな出願としたものであって、平成１８年１月１６日付けの拒絶理由通知に対する応答期間内の平成１８年３月３日付けで手続補正がなされたが、平成１８年４月２８日付けで拒絶査定がなされ、これに対し、平成１８年６月８日付けで拒絶査定不服審判が請求されると共に、同日付で手続補正がなされた。
　その後、当審において、平成１９年１１月２日付けで、平成１８年３月３日付けの手続補正・平成１８年６月８日付けの手続補正をそれぞれ補正却下し、その後確定したものである。
　
２．本願発明
　
　以上のとおり、平成１８年３月３日付けの手続補正・平成１８年６月８日付けの手続補正がそれぞれ補正却下されたことに伴い、本願の請求項１乃至８に係る発明は、出願時の願書に添付された明細書及び図面の記載からみて、その特許請求の範囲の請求項１乃至８に記載されたとおりのものであるところ、そのうち請求項１に係る発明（以下「本願発明」という。）は次のとおりである。
　
「【請求項１】　ディスク媒体と前記ディスク媒体を回転させる回転モーターと、前記ディスク媒体より再生信号を得るためのヘッド部と、前記再生信号より２値信号を得るための再生クロックを発生する再生クロック発生部と、復調部において前記再生クロック発生部からの再生クロックを用いて前記再生信号からデジタル信号を得るとともに、前記再生クロック発生部はＰＬＬ部を持ち、前記ＰＬＬ部の可変発振器の発振周波数の可変範囲が前記回転モーターの回転数に応じて変更されるディスク再生装置。」
　
３．引用例
　
　これに対して、原審の拒絶の理由（［理由Ａ］）に引用した特開平５−１３５４８１号公報（平成５年６月１日公開、以下「引用例」という。）には、光磁気ディスク等の円板状記録媒体を回転駆動して情報を記録再生するディスクドライブ装置に関して、図面と共に、以下の記載がある。なお、下線は当審で付与した。
　
（１）「【０００１】
【産業上の利用分野】本発明は磁気ディスクや
光磁気ディスク等の円板状記録媒体を回転駆動して情報を記録再生するディスクドライブ装置に関する
　
（２）「【０００５】
本発明の目的は、円板状記録媒体の回転始動時の待ち時間を短縮して迅速に情報の記録再生を行うことができるディスクドライブ装置を提供すること
【０００６】
【課題を解決するための手段】上記目的は、情報が記録されるディスクをモータにより回転駆動して情報を記録再生するディスクドライブ装置において、前記モータの回転数信号に同期した基準クロック信号を発生する基準クロック発生手段と、前記基準クロック発生手段により発生された前記基準クロック信号に基づいて、前記ディスクへの情報の記録再生を制御する記録再生制御手段とを有することを特徴とするディスクドライブ装置によって達成される。
【０００７】
【作用】本発明によれば、モータの回転数信号に同期した基準クロック信号を発生し、この基準クロック信号に基づいてディスクへの情報の記録再生を制御するようにしたので、ディスクの回転始動時の待ち時間を短縮して迅速に情報の記録再生を行うことができる。」
　
（３）「【０００９】図１に示すように、
光磁気ディスク（図示せず）を回転駆動するスピンドルモータ１０から回転数信号が基準クロック発生器１２に入力される
基準クロック発生器１２は、スピンドルモータ１０からの回転数信号に同期した基準クロックを発生すると共に、基準クロックの中心周波数を示す中心周波数制御信号を発生する
　
（４）「【００１２】図１に説明を戻すと、
ＰＬＬ回路１４は、データ再生時に、光磁気ヘッド１６からのリード信号を分離してリードクロック信号とリードデータ信号を生成する
ＰＬＬ回路１４には、図３に示すように、切り替え信号により基準クロックとリード信号を切り替える切り替え器１４ａ、基準クロック又はリード信号とリードクロックの位相と周波数を比較して誤差信号を出力する位相比較器１４ｂ、位相比較器１４ｂの出力を電圧信号に変換するチャージポンプ１４ｃ、入力電圧により発振周波数が制御される電圧制御発振器１４ｄ、リード信号を電圧制御発振器１４ｄから出力されるリードクロックに同期させるシンクロナイザ１４ｅが設けられている
【００１３】
データ再生時は、切り替え器１４ａによりリード信号に切り替えられる。位相比較器１４ｂは、リード信号とリードクロックを比較し、その位相のずれに比例するパルス幅のパルス信号を出力する。チャージポンプ１４ｃは位相比較器１４ａからのパルス信号を電圧信号に変換して、誤差に比例した電圧信号を出力する。電圧制御発振器１４ｄはチャージポンプ１４ｃからの誤差電圧信号により発信周波数が制御される。これによりリードクロックの位相がリード信号に微調整され、リード信号に同期したリードクロックが生成される。リードデータはシンクロナイザ１４ｅによりリードクロックに同期される
【００１４】データ再生時以外では、切り替え器１４ａにより基準クロックに切り替えられ、基準クロックの同期した同様の動作が行われ、データ再生時以外のときでもＰＬＬ回路１４の同期動作がはずれないようにして、データ再生への切り替え時に迅速に対応できるようにしている。なお、本実施例では
スピンドルモータ１０の回転数の広い範囲にわたって動作させるためＰＬＬ回路１４も広い周波数の範囲において動作させる必要がある。このため、チャージポンプ１４ｃと電圧制御発振器１４ｄに中心周波数制御信号を入力して中心周波数に応じた最適な特性になるようにしている
　
（５）「【００１７】このように本実施例ではスピンドルモータ１０の回転数信号に同期した基準クロックに基づいてデータの記録再生が可能であるので、スピンドルモータ１０の回転数が所定の回転数、例えば３６００ｒｐｍに達する前の低速回転中においてもデータを記録再生することができる。すなわち、図４に示すように、スピンドルモータ１０が起動時から徐々に回転数を上げていく加速段階においても、ＰＬＬ回路１４により回転数信号に同期した基準クロックによりリード信号をリードクロックとリードデータに適切に分離形成することができる。
【００１８】したがって、頻繁に光磁気ディスクカートリッジを交換するディスクチェインジャの場合でも、交換した光磁気ディスクが所定の回転数に達する前からデータの記録再生が可能であり光磁気ディスク交換後の待ち時間を短縮して情報の記録再生を迅速に行うことができる。本発明は上記実施例に限らず種々の変形が可能である。例えば、上記実施例では光磁気ディスクドライブ装置に本発明を適用したが、光磁気ディスク以外の他の円板上記録媒体、例えば磁気ディスクを駆動する磁気ディスクドライブ装置に本発明を適用してもよい。」
　
　上記摘示事項及び図面の記載を参酌すると、引用例には、次の発明（以下「引用発明」という。）が記載されているものと認める。
　
「光磁気ディスクを回転駆動するスピンドルモータと、
　スピンドルモータからの回転数信号に同期した基準クロックを発生すると共に、基準クロックの中心周波数を示す中心周波数制御信号を発生する基準クロック発生器と、
　データ再生時に、光磁気ヘッドからのリード信号を分離してリードクロック信号とリードデータ信号を生成するＰＬＬ回路であって、
　リード信号とリードクロック信号の位相と周波数を比較して誤差信号を出力する位相比較器、位相比較器の出力を電圧信号に変換するチャージポンプ、入力電圧により発振周波数が制御される電圧制御発振器、リード信号を電圧制御発振器から出力されるリードクロック信号に同期させるシンクロナイザが設けられているＰＬＬ回路と
　を持ち、
　リード信号に同期したリードクロック信号が生成され、リードデータ信号はシンクロナイザによりリードクロック信号に同期され、リードデータチャージポンプと電圧制御発振器に中心周波数制御信号を入力してなるディスクドライブ装置。」
　
４．対比
　
　そこで、本願発明と引用発明とを対比する。
（１）引用発明の「光磁気ディスク」は、本願発明の「ディスク媒体」に相当する。そして、引用発明の「スピンドルモータ」は、光磁気ディスクを回転駆動するものであるから、本願発明の「回転モーター」に相当する。
（２）引用発明の「リード信号」は、本願発明の「再生信号」に相当する。そして、引用発明の「光磁気ヘッド」は、光磁気ディスクよりリード信号を再生する（得る）ためのものであることは明かであるから、本願発明の「ヘッド部」に相当する。
（３）引用発明の「リードクロック信号」は、本願発明の「再生クロック」に相当する。そして、引用発明の「ＰＬＬ回路」は、「リード信号を分離してリードクロック信号とリードデータ信号を生成する」もので、「リードデータ信号」は（シンクロナイザにより）リードクロック信号に同期されるものであり、リードデータ信号が２値信号（デジタル信号）であることは明かであるから、引用発明は、本願発明の「前記再生信号より２値信号を得るための」「再生クロック発生部」に相当する構成を備えている。
（４）引用発明において、リードデータ信号はシンクロナイザによりリードクロック信号に同期されるものであるから、引用発明の「シンクロナイザ」は、本願発明の「復調部」に相当する。そうすると、引用発明は、本願発明の「復調部において前記再生クロック発生部からの再生クロックを用いて前記再生信号からデジタル信号を得る」に相当する構成を備えている。
（５）引用発明の「電圧制御発振器」は、本願発明の「可変発振器」に相当する。そして、引用発明の「ＰＬＬ回路」は、位相比較器、電圧制御発振器、チャージポンプを含むものであるから、引用発明は、本願発明の「前記再生クロック発生部はＰＬＬ部をもち」に相当する構成を備えている。
（６）引用発明の「電圧制御発振器」は、スピンドルモータからの回転数信号に同期した基準クロックの中心回転数を示す「中心周波数制御信号を入力して」いるものであるから、引用発明は、本願発明と「前記ＰＬＬ部の可変発振器が前記回転モータの回転数に応じて変更される」点で共通する。
（７）引用発明の「ディスクドライブ装置」は、本願発明の「ディスク再生装置」に相当する。
　
　そうすると、本願発明と引用発明との＜一致点＞＜相違点＞は次の点である。
　
＜一致点＞
「ディスク媒体と前記ディスク媒体を回転させる回転モーターと、前記ディスク媒体より再生信号を得るためのヘッド部と、前記再生信号より２値信号を得るための再生クロックを発生する再生クロック発生部と、復調部において前記再生クロック発生部からの再生クロックを用いて前記再生信号からデジタル信号を得るとともに、前記再生クロック発生部はＰＬＬ部をもち、前記ＰＬＬ部の可変発振器が前記回転モーターの回転数に応じて変更されるディスク再生装置。」の点。
　　
＜相違点＞
　「可変発振器」について、本願発明は、可変発振器の「発振周波数の可変範囲」が前記回転モーターの回転数に応じて変更されるのに対し、引用発明は、電圧制御発振器（可変発振器）を変更するとしても中心周波数制御信号を入力しているもので回転数に応じて可変範囲を変更することについて言及していない点。
　
５．判断
　そこで、上記相違点について検討する。
　記録再生部のＰＬＬ回路において、電圧制御発振器（可変発振器）の所定周波数を中心とした引き込み範囲（可変範囲）を設け、その可変範囲で位相ロックした再生クロックを得ることは文献を挙げるまでもなく周知技術である。そして、引用発明は、スピントルモータの回転数に応じて電圧制御発振器（可変発振器）に中心周波数制御信号を入力するもので、上記周知技術から中心周波数制御信号の入力に伴い、その引き込み範囲も変更されるようにして、可変発振器の「発振周波数の可変範囲」が前記回転モーターの回転数に応じて変更して相違点のようにすることは当業者が適宜になし得る設計的事項にすぎないものである。
　
　そして、上記相違点を総合的に判断しても、本願発明が奏する効果は引用例から、当業者が十分に予測できたものであって、格別なものとはいえない。
６．むすび
　
　以上のとおり、本願の請求項１に係る発明は、引用例に記載された発明に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。